(57)【要約】      （修正有）【課題】容易、且つ迅速に組立てられ、その上で、必要な強度を有する。【解決手段】支柱１と、竪枠４と、押縁５とを備え、支柱は、見付面に形成された第１の嵌合溝部１ａおよび第２の嵌合溝部１ｂを有し、第１の嵌合溝部１ａおよび第２の嵌合溝部１ｂは、支柱１の上下方向に沿って形成されていると共に、見付方向で並列するように配置され、第１の嵌合溝部１ａには、第１の突出部１１ａが見付方向に突設され、第２の嵌合溝部１ｂには、第２の突出部１１ｂが見付方向に突設され、竪枠４は、第１の突出部１１ａに対して係合する第１の係合部４ｃと、第２の突出部１１ｂに対して係合する第２の係合部４ｄとを有し、押縁５は、第１及び第２の突出部にそれぞれ第１及び第２の係合部が係合した状態で、第１の嵌合溝部と第１の係合部との間又は第2の嵌合溝部と第2の係合部との間に形成される隙間に嵌入される嵌入部５ｂを有していることを特徴とする手摺Ａ。【選択図】図３
2020158974.tif 000002
【特許請求の範囲】
【請求項１】
支柱と、竪枠と、押縁とを備え、
支柱は、見付面に形成された第１の嵌合溝部および第２の嵌合溝部を有し、
第１の嵌合溝部および第２の嵌合溝部は、支柱の上下方向に沿って形成されていると共に、見付方向で並列するように配置され、
第１の嵌合溝部には、第１の突出部が見付方向に突設され、
第２の嵌合溝部には、第２の突出部が見付方向に突設され、
竪枠は、第１の突出部に対して係合する第１の係合部と、第２の突出部に対して係合する第２の係合部とを有し、
押縁は、第１及び第２の突出部にそれぞれ第１及び第２の係合部が係合した状態で、第１の嵌合溝部と第１の係合部との間又は第２の嵌合溝部と第２の係合部との間に形成される隙間に嵌入される嵌入部を有していることを特徴とする手摺。
【発明の詳細な説明】
【技術分野】
【０００１】
本発明は、集合住宅や家屋のベランダやバルコニー等に設置される手摺に関する。
【背景技術】
【０００２】
集合住宅や家屋のベランダやバルコニー等に設置される手摺は、複数の支柱、支柱の上下に設けられる下弦材および上弦材、上弦材に被せる笠木、下弦材と上弦材の間に配置される複数の中間枠および端枠、これら、下弦材、上弦材、中間枠、端枠によって支持されるパネル等を用いて組立てられたものが知られている（非特許文献１参照）。
【先行技術文献】
【特許文献】
【０００３】
【非特許文献１】三協立山株式会社が２０１６年８月に発行したカタログ「ＦＭ（ＦＩＮＥ  ＭＡＳＴＥＲ）」の第１３ページに記載の「直線部」に示された各図。
【発明の概要】
【発明が解決しようとする課題】
【０００４】
このような手摺については、特に、高所であって、施工数が多くなる集合住宅に設置する場合、設置後の手摺の強度や組立て作業の安全性の確保が必要である。そのため、容易、且つ迅速に組立てられ、その上で、必要な強度を有する手摺が求められている。
【課題を解決するための手段】
【０００５】
前述の課題を解決するために請求項１記載による手摺は、支柱と、竪枠と、押縁とを備え、支柱は、見付面に形成された第１の嵌合溝部および第２の嵌合溝部を有し、第１の嵌合溝部および第２の嵌合溝部は、支柱の上下方向に沿って形成されていると共に、見付方向で並列するように配置され、第１の嵌合溝部には、第１の突出部が見付方向に突設され、第２の嵌合溝部には、第２の突出部が見付方向に突設され、竪枠は、第１の突出部に対して係合する第１の係合部と、第２の突出部に対して係合する第２の係合部とを有し、押縁は、第１及び第２の突出部にそれぞれ第１及び第２の係合部が係合した状態で、第１の嵌合溝部と第１の係合部との間又は第２の嵌合溝部と第２の係合部との間に形成される隙間に嵌入される嵌入部を有していることを特徴とする。
【発明の効果】
【０００６】
本発明は、以上の構成により、容易、且つ迅速に組立てられ、その上で、必要な強度を有する手摺を提供できる。
【図面の簡単な説明】
【０００７】
【図１】本発明に係る実施形態の手摺の全体図であり、（ａ）は正面図、（ｂ）は（ａ）の（ｂ）-（ｂ）線断面図である。
【図２】図１（ａ）の（２）-（２）線拡大断面図である。
【図３】（ａ）は図１（ｂ）の中間枠の拡大図であり、（ｂ）は（ａ）の第１嵌合溝部側の拡大図、（ｃ）は（ａ）の第２嵌合溝部側拡大図である。
【図４】（ａ）は、支柱と竪枠との分解図、（ｂ）は、竪枠が取付けられた支柱と押縁との分解図である。
【図５】図１（ａ）の（５）-（５）線断面図である。
【図６】図１（ｂ）の端枠の拡大図である。
【図７】端部支柱と端部竪枠との分離図である。
【図８】手摺の組立工程を説明する第１工程図であり、（ａ）は全体断面図、（ｂ）は（ａ）の（ｂ）-（ｂ）線断面図である。
【図９】手摺の組立工程を説明する第２工程図であり、（ａ）は全体断面図、（ｂ）〜（ｄ）は竪枠の組立工程を示す工程図である。
【図１０】手摺の組立工程を説明する第３工程図であり、（ａ）は全体断面図、（ｂ）、（ｃ）は押縁の組立工程を示す工程図である。
【図１１】手摺の組立工程を説明する第４工程図であり、（ａ）は全体断面図、（ｂ）は（ａ）の（ｂ）-（ｂ）線断面図である。
【図１２】手摺の組立工程を説明する第５工程図であり、（ａ）は全体断面図、（ｂ）、（ｃ）は端部押縁の組立工程を示す工程図である。
【図１３】支柱の変形例を示す拡大図であり、（ａ）は右係合タイプを示し、（ｂ）は左係合タイプを示す。
【図１４】（ａ）右係合タイプの支柱と竪枠との分離図であり、（ｂ）は右係合タイプの支柱と竪枠が係合した状態を示す。
【図１５】（ａ）左係合タイプの支柱と竪枠との分離図であり、（ｂ）は左係合タイプの支柱と竪枠が係合した状態を示す。
【発明を実施するための形態】
【０００８】
以下、図面を参照して本発明に係る実施形態の手摺Ａを説明する。以下の説明で、異なる図における同一符号は同一機能の部位を示しており、各図における重複説明は適宜省略する。また、左右方向とは手摺Ａの見付方向を、前後方向とは手摺Ａの見込方向を、上下方向とは手摺Ａの高さ方向を夫々意味する。また、手摺Ａを境として屋外側が前、屋内側が後である（図３、図５参照）。
【０００９】
［全体の構成］
手摺Ａは、主に、集合住宅や家屋等のベランダやバルコニー、さらには、開放廊下、屋上等に設置されるものであり、これら高所からの落下防止機能および周囲からの目隠し機能を有するものである。
【００１０】
手摺Ａは、図１〜図７に示すように、躯体Ｂに設けられたパラペットＢ１に左右方向に一定間隔を空けて立設された複数の支柱１と、手摺Ａの下部を構成する下弦材２と、手摺Ａの上部を構成する上弦材３および笠木３０と、手摺Ａの中間部を構成する中間枠Ａ１と、手摺Ａの左右両端部を構成する端枠Ａ２と、支柱１の前方側で、下弦材２、上弦材３、笠木３０、中間枠Ａ１、端枠Ａ２によって支持されたパネル８とを備えている。
【００１１】
中間枠Ａ１は、図３に示すように、竪枠４および押縁５とを備えて構成され、端枠Ａ２は、図６に示すように、端部竪枠６および端部押縁７を備えて構成されている。
【００１２】
パネル８は、ガラス板、合成樹脂板、木板等が例示できる。図２、図３および図５、図６に示すように、パネル８と、パネル８を支持する下弦材２、上弦材３、竪枠４、押縁５、端部竪枠６、端部押縁７との間には、パネル８を保持固定するためのビード９ａ、バックアップ材９ｂ、シール材９ｃが配されている。
【００１３】
［支柱１の構成］
支柱１は、図２〜図４に示すように、全域に亘り平坦とする前側の見付面１０の左端側に上下方向に凹設された第１の嵌合溝部１ａおよび右端側に上下方向に沿って凹設された第２の嵌合溝部１ｂを備えている。
【００１４】
第１の嵌合溝部１ａおよび第２の嵌合溝部１ｂは、竪枠４および押縁５を支柱１に取付けるためのものであり、互いに同じ形状、且つ支柱１の上端から下端まで一葉の形状で形成されていると共に、見付面１０側を開口部１０ａ、１０ｂとして左右方向で並列するように配置されている。第１の嵌合溝部１ａには第１の突出部１１ａが突設され、第２の嵌合溝部１ｂには第２の突出部１１ｂが突設されている。
【００１５】
第１の突出部１１ａは、図３、図４に示すように、第１の嵌合溝部１ａの右側の溝壁１２ａを基端として、左側の溝壁１３ａに向かって突設されており、第１の突出部１１ａの先端部１４ａと溝壁１３ａとの間を開口部１０ａとしている。第２の突出部１１ｂは、図３、図４に示すように、第２の嵌合溝部１ｂの右側の溝壁１２ｂを基端として、左側の溝壁１３ｂに向かって突設されており、第２の突出部１１ｂの先端部１４ｂと溝壁１３ｂとの間を開口部１０ｂとしている。
【００１６】
（下弦材の構成）
下弦材２は、図１〜図３、図５に示すように、下弦材２の前側に下弦材２の左右方向の全域に亘って、パネル支持溝部２ａおよびパネル支持溝部２ａの前壁側にビード９ａを保持したビード保持部２ｂが設けられており、支柱１の下方に対して、パネル支持溝部２ａを屋外側に位置させて手摺Ａの左右方向の全域に亘るように架設されている。
【００１７】
下弦材２の後側には、図３に示すように、支柱１の見付幅に適合する幅の凹部２ｃが形成されており、この凹部２ｃに支柱１を呑み込ませて、図２、図５に示すように、支柱１に対して左右方向からボルト・ナット２ｄで締め付けることで、下弦材２が支柱１に固定されている。パネル支持溝部２ａの底部には、セッティングブロック２ｅが配置され、パネル支持溝部２ａにパネル８を挿入した状態においてパネル８がセッティングブロック２ｅ上に載置されている。
【００１８】
下弦材２では、パネル支持溝部２ａの後壁とパネル８の後面との間にバックアップ材９ｂを圧入することで、パネル８がビード９ａとバックアップ材９ｂとで挟まれるように保持固定される。
【００１９】
（上弦材３の構成）
上弦材３は、図１〜図３、図５に示すように、上弦材３の前側に、上弦材３の長手（左右）方向の全域に亘って形成されたパネル支持溝部３ａおよびパネル支持溝部３ａの前壁側にビード９ａが保持されたビード保持部３ｂが設けられており、支柱１の上端に対して、ビス３ｃによって固定され、パネル支持溝部３ａを屋外側に位置させて手摺Ａの左右方向の全域に亘るように架設されている。また、上弦材３の上部の全域にわたるように、笠木３０が係合取付けされており、この笠木３０によって、手摺Ａの上部が仕上げられている。
【００２０】
上弦材３では、パネル支持溝部３ａの後壁とパネル８の後面との間にバックアップ材９ｂを圧入することで、パネル８がビード９ａとバックアップ材９ｂとで挟まれるように保持固定される。
【００２１】
（竪枠の構成）
竪枠４は、図１〜図４に示すように、竪枠４の長手（上下）方向の全域に亘って形成された第１のパネル支持溝部４ａおよび第２のパネル支持溝部４ｂが設けられており、下弦材２と上弦材３との間に配置されている。第１のパネル支持溝部４ａおよび第２のパネル支持溝部４ｂは、図３および図４に示すように、隔壁４ｅによって左右で隣り合うように隔てられており、第１のパネル支持溝部４ａの開口方向を左側とし、第２のパネル支持溝部４ｂの開口方向を右側として配置されている。
【００２２】
第１のパネル支持溝部４ａ側には、図１、図３および図４に示すように、第１のパネル支持溝部４ａの上下方向の全域に亘って形成された第１の係合部４ｃが設けられ、第２のパネル支持溝部４ｂ側には、第２のパネル支持溝部４ｂの上下方向の全域に亘って形成された第２の係合部４ｄが設けられている。
【００２３】
第１のパネル支持溝部４ａは、図３および図４に示すように、パネル８の前面と対面する前側支持壁４０ａに、ビード９ａが保持されたビード保持部４１ａが前側支持壁４０ａの上下方向の全域に亘って設けられている。パネル８の後面と対面する後側壁４２ａの後面４０の左側の縁には、第１の係合部４ｃが後方に向けて突設されている。また、後側壁４２ａの前面４１には、左右２か所の係合リブ４３ａ、４４ａが後側壁４２ａの上下方向の全域に亘って前方に向けて突設されている。さらに、隔壁４ｅの左側部４０ｅには、押縁５が係止される係止突起４１ｅが隔壁４ｅの上下方向の全域に亘って突設されている。
【００２４】
係合リブ４３ａ、４４ａは、押縁５を取付けた際の補強用のものであると共に、押縁５を係合取付けする際の係合用としても機能するものであり、図４に示すように、係合リブ４３ａの左側部４３ｃには係止突起４３０ａが突設され、係合リブ４４ａの右側部４５ａには係止突起４４０ａが突設されている。
【００２５】
第１のパネル支持溝部４ａでは、図３(ａ)に示すように、押縁５の後述するパネル支持面５ａと左側のパネル８の後面との間にバックアップ材９ｂを圧入することで、パネル８がビード９ａとバックアップ材９ｂとで挟まれるように保持固定されている。
【００２６】
第２のパネル支持溝部４ｂは、図３および図４に示すように、パネル８の前面を支持する前側支持壁４０ｂにビード９ａが保持されたビード保持部４１ｂが前側支持壁４０ｂの上下方向の全域に亘って設けられている。パネル８の後面と対面する後側支持壁４２ｂの後面４０の右側の縁には、第２の係合部４ｄが後方に向けて突設されている。後側支持壁４２ｂは、前面をパネル支持面４３ｂとし、パネル支持面４３ｂが後側壁４２ａの前面４１よりも前側に位置するように中空状の長方形に形成されている。
【００２７】
第２のパネル支持溝部４ｂでは、図３(ａ)に示すように、後側支持壁４２ｂのパネル支持面４３ｂと右側のパネル８の後面との間にバックアップ材９ｂを圧入することで、パネル８がビード９ａとバックアップ材９ｂとで挟まれるように保持固定されている。
【００２８】
後側壁４２ａと後側支持壁４２ｂとにわたる竪枠４の後面４０は、図４（ａ）に示すように、後側壁４２ａと後側支持壁４２ｂとに亘る範囲において、平坦、且つ面一となるように形成されている。これにより、図４（ｂ）に示すように、竪枠４が支柱１に対して取付けられた状態において、支柱１の見付面１０と隙間なく密着できるようになっている。
【００２９】
前側支持壁４０ａから前側支持壁４０ｂに至る見付幅は、図４（ａ）に示すように、後側壁４２ａから後側支持壁４２ｂに至る見付幅よりも狭くされている。これにより、手摺Ａの前側から視覚されるパネル８の露出面積を大きくすることができる上に、手摺Ａの前側から視覚される竪枠４を目立たせないようにすることができるので、手摺Ａに対する屋外側からの意匠性の向上が期待できる。
【００３０】
第１の係合部４ｃおよび第２の係合部４ｄは、図３および図４に示すように、竪枠４の上下方向の全域に亘って、互いに同じ形状、且つ竪枠４の上端から下端まで一葉の形状で形成されている。また、図４(ａ)に示すように、第１の係合部４ｃと第２の係合部４ｄとの間隔を第１の嵌合溝部１ａと第２の嵌合溝部１ｂとの間隔と同間隔として左右方向で並列状に配置されており、これにより、竪枠４を支柱１の前方に配置して第１の係合部４ａを第１の嵌合溝部１ａと正対させたとき、第２の係合部４ｂも第２の嵌合溝部１ｂと正対させることができる。
【００３１】
第１の係合部４ｃは、図３および図４に示すように、第１の嵌合溝部１ａに嵌合して第１の突出部１１ａに係合するものであり、先端部４０ｃが右側に突出するＬ型のフック形状に形成され、先端部４０ｃが第１の突出部１１ａに対して後方向から向かい合って係合するようにされている。第２の係合部４ｄは、図３および図４に示すように、第２の嵌合溝部１ｂに嵌合して第２の突出部１１ｂに係合するものであり、先端部４０ｄが右側に突出するＬ型のフック形状に形成され、先端部４０ｄが第２の突出部１１ｂに対して後方向から向かい合って係合するようにされている。
【００３２】
すなわち、第１の突出部１１ａと第２の突出部１１ｂに対して、第１の係合部４ｃと第２の係合部４ｄとが後方向から対面するように係合しているため、支柱１に対する竪枠４の前後動を規制することができる。
【００３３】
第１の係合部４ｃの先端部４０ｃの幅と第２の係合部４ｄの先端部４０ｄの幅は、図４(ａ)に示すように、第１の嵌合溝部１ａの開口部１０ａ、第２の嵌合溝部１ｂの開口部１０ｂの幅よりも狭くされており、竪枠４を支柱１に取付けるときに、第１の係合部４ｃと第２の係合部４ｄを支柱１の前方から開口部１０ａ、１０ｂを通過させることができる。これにより、第１の係合部４ｃを第１の嵌合溝部１ａに嵌合できると共に、第２の係合部４ｄを第２の嵌合溝部１ｂに嵌合することができる。
【００３４】
また、第１の係合部４ｃの先端部４０ｃの幅は、図４(ｂ)に示すように、第１の突出部１１ａに対する第１の係合部４ｃの係合時において、第１の係合部４ｃの左側部４３ｃと溝壁１３ａとの間に、押縁５の後述する嵌入部５ｂが嵌入される幅の隙間Ｓを形成できる幅にされている。第１の突出部１１ａに対する第１の係合部４ｃの係合時に形成された隙間Ｓは、第１のパネル支持溝部４ａの上下方向の全域に亘って同幅、且つ開口部１０ａと平行に確保されている。
【００３５】
竪枠４の第１の係合部４ｃと第２の係合部４ｄを、支柱１の第１の突出部１１ａと第２の突出部１１ｂに対して係合させて隙間Ｓを形成する動作は、第１の嵌合溝部１ａと第２の嵌合溝部１ｂとに、夫々前方から押し込むように嵌合させた後、竪枠４を右にスライドさせる動作である（図９参照）。この動作によって、第１の係合部４ｃと第２の係合部４ｄを第１の突出部１１ａと第２の突出部１１ｂとに前後方向で向かい合うように係合させることができると共に、隙間Ｓを形成することができる。
【００３６】
（押縁の構成）
押縁５は、図１〜図４に示すように、前面を前述のパネル支持面５ａとし、押縁５の上下方向の全域に亘って、前述の嵌入部５ｂが押縁５の後面５０の左側の縁から後方に向けて突設されていると共に、後面５０の中央から後方に向けて竪枠４の係合リブ４４ａと係合する係合リブ５ｃが突設され、且つ後面５０の右側の縁から後方に向けて係合リブ５ｄが突設されている。
【００３７】
嵌入部５ｂは、隙間Ｓの幅よりもわずかに狭い幅とする肉厚で形成されていると共に、竪枠４の係合リブ４３ａの左側部４３ｃと対向する右側部５０ｂには、隙間Ｓに嵌入された状態において、係合リブ４３ａの係止突起４３０ａに係止される被係止突起５１ｂが設けられている。
【００３８】
係合リブ５ｃおよび係合リブ５ｄは、押縁５を取付けた際の補強用のものであると共に、押縁５を係合取付けする際の係合用としても機能するものである。係合リブ５ｃおよび係合リブ５ｄは、図３（ａ）（ｂ）に示すように、竪枠４に押縁５を取付けた状態において、先端が竪枠４の後側壁４２ａの前面４１に接触すると共に、係合リブ４３ａ、４４ａの先端を押縁５の後面５０に接触させることができ、且つ嵌入部５ｂの嵌入状態を阻害しない程度の長さ、さらには、押縁５のパネル支持面５ａと竪枠４のパネル支持面４３ｂとが面一となる長さとして形成されている。
【００３９】
係合リブ５ｃは、竪枠４の係合リブ４４ａに対して左右方向で対面するように配置され、係合リブ５ｃの左側部５０ｃには、係合リブ４４ａの係止突起４４０ａに係止される被係止突起５１ｃが突設されている。係合リブ５ｄは、嵌入部５ｂが隙間Ｓに嵌入されたときに、隔壁４ｅに対して左右方向で対面状に接触するように配置され、係合リブ５ｄの右側部５０ｄと対面する隔壁４ｅの左側部４０ｅに突設された係止突起４１ｅに、右側部５０ｄとパネル支持面５ａとの間の角部５１ｄが係止される。
【００４０】
押縁５の第１のパネル支持溝部４ａに取付ける動作は、第１のパネル支持溝部４ａ内で、嵌入部５ｂを隙間Ｓと正対させた後、押縁５を前方から押し込んで嵌入部５ｂを隙間Ｓに嵌入する動作である（図１０参照）。このとき、嵌入部５ｂが隙間Ｓに嵌入される動作と連動して、竪枠４側の係止突起４３０ａ、４４０ａに被係止突起５１ｂ、５１ｃが係止されると共に、角部５１ｄが係止突起４１ｅに係止される。
【００４１】
すなわち、押縁５が第１のパネル支持溝部４ａに取付けられたときには、隙間Ｓに嵌入された嵌入部５ｂによって、支柱１に対する竪枠４の左右動を規制することができると共に、第１の係合部４ｃと第２の係合部４ｄの係合状態を保持することができる。また、嵌入部５ｂが隙間Ｓに嵌入されている状態では、係止突起４３０ａ、４４０ａ、４１ｅに対する被係止突起５１ｂ、５１ｃ、角部５１ｄの係止によって、竪枠４に対する押縁５の取付け状態を保持することができる。
【００４２】
したがって、中間枠Ａ１の構成時において、支柱１に対する竪枠４の取付けを、ビスやボルト・ナット等の固着手段を用いることなく行うことができると共に、支柱１に対する竪枠４の取付け状態を保持することができる。さらに、竪枠４にパネル８が保持された状態において、ビード９ａおよびバックアップ材９ｂの反発力が押縁５を竪枠４に対して押し付ける方向に作用するため、支柱１に対する竪枠４の取付け状態をより強固に保持することができる。
【００４３】
これにより、支柱１に対する竪枠４の取付け作業の迅速性および容易性が向上し、その上で、必要な強度を有する手摺Ａを構築することができる。
【００４４】
（端部竪枠の構成）
端部竪枠６は、図１、図５〜図７に示すように、上面長方形状の中空状に形成され、端部竪枠６の左側（外側）の見込面１１に、端部竪枠６の長手（上下）方向の全域に亘って形成された第１の係合部６ａと、端部竪枠６の後側の見付面１２に、端部竪枠６の長手（上下）方向の全域に亘って形成された第２の係合部６ｂとが設けられており、前側の見付面を第１のパネル支持面部６ｃとして、下弦材２と上弦材３との間に配置されていると共に、下弦材２と上弦材３とに対してビスやボルト・ナット等の固着具（図示せず）によって固着されている。
【００４５】
第１の係合部６ａは、図６および図７に示すように、見込面１１から左側へ突設されていると共に、先端部６０ａが後側に突出するＬ型のフック形状に形成されている。第２の係合部６ｂは、図６および図７に示すように、見付面１２から前側に向かって右側（内側）の見込面１３を凹状に切欠いて形成されている。第１のパネル支持面部６ｃは、パネル８と対面しており、見込面１１から左側に突出した第１の係合部６ａの突出片６１ａの前面と面一にされている。
【００４６】
見込面１１には、図６および図７に示すように、後述する端部押縁７の第１の被係合部７０ｄが嵌入される嵌入溝６ｄが形成されており、この嵌入溝６ｄの前側を第１の係合部６ａとし、嵌入溝６ａの後側を位置決め部６ｅとしている。
【００４７】
（端部押縁の構成）
端部押縁７は、図１、図５〜図７に示すように、端部竪枠６の上下方向の全域に亘ると共に、端部竪枠６の第１のパネル支持面部６ｃの中途から見込面１１を経て見付面１２を囲むように一体に形成されており、端部竪枠６に係合してこの端部竪枠６と共にパネル８を支持するものである。
【００４８】
端部押縁７は、図６および図７に示すように、端部竪枠６の第１のパネル支持面部６ｃと対向する第２のパネル支持面部７ａと、見込面１１と対向する端縁部７ｂと、端縁部７ｂによって第２のパネル支持面部７ａと繋がれており、端部竪枠６の見付面１２と対向する見付縁部７ｃとにより構成されている。また、端縁部７ｂの右側部７０ｂに端部竪枠６の見込面１１側に突設された第１の被係合部７ｄと、見付縁部７ｃの前側部７０ｃの先端に見付面１２側に突設された第２の被係合部７ｅとが設けられている。
【００４９】
第２のパネル支持面部７ａは、図６および図７に示すように、端部竪枠６の第１のパネル支持面部６ｃおよび端縁部７ｂとで、パネル８が嵌入されるパネル支持溝７ｆを構成する。第２のパネル支持面部７ａの後側部７０ａの先端側には、ビード９ａが保持されたビード保持部７１ａが設けられており、ビード９ａがパネル支持溝７ｆに嵌入されたパネル８の前面を支持する。パネル支持溝７ｆに嵌入されたパネル８の後面は、このパネル８の後面と第１のパネル支持面部６ｃとの間に圧入されたバックアップ材９ｂにより支持される。
【００５０】
第２のパネル支持面部７ａの見付幅は、図６および図７に示すように、第１のパネル支持面部６ｃの見付幅よりも狭くされている。これにより、手摺Ａの前側から視覚されるパネル８の露出面積を大きくすることができる上に、手摺Ａの前側から視覚される竪枠４を目立たせないようにすることができるので、手摺Ａに対する屋外側からの意匠性の向上が期待できる。
【００５１】
第１の被係合部７ｄは、図６および図７に示すように、第１の係合部６ａに対して係合されるものであり、先端部７０ｄが前側に突出するＬ型のフック形状に形成されている。第１の被係合部７ｄは、端部押縁７を端部竪枠６の見込面１１側から嵌入溝６ｄに嵌入し、嵌入溝６ｄ内において第１の係合部６ａに対して後側から前側への見込方向に移動させて、第１係合部６ａの右側で第１係合部６ａと対面して係合するようにされている。
【００５２】
第１の被係合部７ｄは、図７に示すように、第１の被係合部７ｄの端部竪枠６の見込面１１側からの右方向への移動により第１の被係合部７ｄが嵌入溝６ｄに嵌入され、右側部７０ｂが位置決め部６ｅの先端部６０ｅに接触したときに、第１の係合部６ａに係合できる位置となる形状および配置関係として形成されている。さらに、端部押縁７の前方向への見込方向に沿う移動によって、第１の被係合部７ｄの第１の係合部６ａに対する係合ができると共に、係合時において隙間なく係合でき、且つ見付面１２と見付縁部７ｃの前側部７０ｃとを接触させることができる形状および配置関係として形成されている。
【００５３】
第２の被係合部７ｅは、第２の係合部６ｂに対して係合されるものであり、第２の係合部６ｂに適合状に係合する形状で前側に突出するように形成されており、第２の係合部６ｂに対して後側から前側への見込方向に移動させて、第１係合部６ａ内で嵌り合い、見込面１３に沿う第２の係合部６ｂの側部６０ｂと対面して係合するようにされている。
【００５４】
第２の被係合部７ｅは、第１の被係合部７ｄの係合動作と連動して係合動作するようにされている（図１２ｃ参照）。具体的には、図７に示すように、第１の被係合部７ｄが嵌入溝６ｄに嵌入され、右側部７０ｂが位置決め部６ｅの先端部６０ｅに接触したときに、第２の係合部６ｂに対する係合ができる位置となる形状および配置関係として形成されている。さらに、端部押縁７の前方向への見込方向に沿う移動によって、第２の被係合部７ｅの第２の係合部６ｂに対する係合ができると共に、係合時において段差や隙間なく係合できる形状および配置関係として形成されている。
【００５５】
すなわち、第１の係合部６ａおよび第２の係合部６ｂに対して係合する第１の被係合部７ｄおよび第２の被係合部７ｅの係合方向が同じであり、連動して行われる右方向への移動および前方向の移動という係合動作によって、端枠Ａ２の構成時において、端部押縁７を端部竪枠６に取付けることができる。
【００５６】
また、端部押縁７は、第１の被係合部７ｄおよび第２の被係合部７ｅが第１の係合部６ａおよび第２の係合部６ｂに対して係合することにより、端部押縁７の左右方向の移動および前方向への移動を規制できる。
【００５７】
端部竪枠７の後方への移動の規制については、パネル支持溝７ｆにおいて、パネル８およびパネルの前面を支持するビード９ａおよびパネル８の後面を支持するバックアップ材９ｂによって行うことができる。
【００５８】
しかも、ビード９ａおよび圧入されたバックアップ材９の反発力が、端部押縁６を前方へ移動させる方向であって、第１の被係合部７ｄおよび第２の被係合部７ｅを第１の被係合部７ｄおよび第２の被係合部７ｅに係合させる方向へ作用するため、係合部６ａおよび第２の係合部６ｂに対する第１の被係合部７ｄおよび第２の被係合部７ｅの係合状態をより強固に保持することができ、これによって、端部竪枠６に対する端部押縁７の取付け状態を保持することができる。
【００５９】
したがって、端枠Ａ２の構成時において、端部竪枠６に対する端部押縁７の取付けを、ビスやボルト・ナット等の固着手段を用いることなく行うことができると共に、端部竪枠６に対する端部押縁７の取付け状態を保持することができる。さらに、さらに、端部竪枠６と端部押縁７とでパネル８が保持された状態において、ビード９ａおよびバックアップ材９ｂの反発力が、パネル８を挟持する方向および端部竪枠６に対して端部押縁７を係合させる方向に作用するため、端部竪枠６に対する端部押縁７の取付け状態をより強固に保持することができる。
【００６０】
これにより、端部竪枠６に対する端部押縁７の取付け作業の迅速性および容易性が向上し、その上で、必要な強度を有する手摺Ａを構築することができる。
【００６１】
（手摺の組立工程）
次に、図８〜図１２を参照して手摺Ａの組立工程を説明する。尚、本組立工程では、以下の第１工程の前に、図１における手摺Ａの右側の端部を組立てておくが、この右側の端部は、以下の第５工程で説明する端部と左右対称であって同じ構成を有すると共に、同じ工程で組立てられる。
【００６２】
［第１工程：図８］
第１工程では、図８（ａ）に示すように、パネル８を端枠Ａ２に入れ込む。具体的には、図８（ｂ）に示すように、パネル８をけんどん方式によって上弦材３と下弦材２との間に入れ込み、入れ込んだパネル８を右側にスライドさせて右側の端部に組立てられた端枠Ａ２のパネル支持溝７ｆに入れ込む。
【００６３】
［第２工程：図９］
第２工程では、図９(ａ)に示すように、竪枠４を支柱１に対して係合取付けする。具体的には、図９(ｂ)に示すように、竪枠４を下弦材２上に載置した状態で右側にスライドさせ、竪枠４の第１の係合部４ｃと第２の係合部４ｄを、夫々に対応する支柱１の第１の嵌合溝部１ａと第２の嵌合溝部１ｂに正対させる。このとき、パネル８は第２のパネル支持溝部４ｂに嵌入されている。次に、図９（ｃ）に示すように、竪枠４を後側にスライドさせて第１の係合部４ｃと第２の係合部４ｄを支柱１の第１の嵌合溝部１ａと第２の嵌合溝部１ｂに嵌合させる。そして、図９（ｄ）に示すように竪枠４を右側にスライドさせることで、第１の係合部４ｃと第２の係合部４ｄを、夫々に対応する第１の突出部１１ａと第２の突出部１１ｂに係合させる。
【００６４】
［第３工程：図１０]
第３工程では、図１０（ａ）に示すように、押縁５を竪枠４に取付けて中間枠Ａ１を構成する。具体的には、図１０（ｂ）に示すように、第１のパネル支持溝部４ａに押縁５を入れ込むと共に、押縁５の嵌入部５ｂを隙間Ｓと正対させる。そして、図１０（ｃ）に示すように、押縁５を後側にスライドさせて嵌入部５ｂを隙間Ｓに嵌入する。このとき、嵌入部５ｂと係合リブ５ｃが、夫々に対応する係合リブ４３ａと係合リブ４４ａに係止されると共に、係合リブ５ｄが隔壁４ｅの左側部４０ｅに係止される。
【００６５】
第２工程および第３工程によって、中間枠Ａ１が構成され、一つの中間枠Ａ１の構成後に、構成された中間枠Ａ１の第１のパネル支持溝部４ａに、第１工程と同様な方向でパネル８を入れ込む。そして、二つ目の中間枠Ａ１を第２工程および第３工程によって構成して同じようにパネル８を入れ込み、これ以降同じ工程で中間枠Ａ１を構成すると共に、パネル８を入れ込んで行けばよい。
【００６６】
［第４工程：図１１]
第４工程では、図１１（ａ）に示すように、最後のパネル８を最後の中間枠Ａ１の第１のパネル支持溝部４ａに入れ込む。具体的には、図１１（ｂ）に示すように、パネル８をけんどん方式によって上弦材３と下弦材２との間に入れ込み、入れ込んだパネル８を右側にスライドさせて最後に組み立てられた中間枠Ａ１の第１のパネル支持溝部４ａに入れ込む。
【００６７】
［第５工程：図１２］
第４工程では、図１２（ａ）に示すように、端部竪枠６に端部押縁７を係合取付けする。具体的には、図１２（ｂ）に示すように、端部押縁７を左側から右側にスライドさせて、端部押縁７の第１の被係合部７ｄを嵌入溝６ｄに嵌入する。このとき、端縁部７ｂの右側部７０ｂが、端部竪枠６の位置決め突起６ｅの先端部６０ｅに接触すると、第１の被係合部７ｄと第２の被係合部７ｅが、夫々に対応する第１の係合部６ａと第２の係合部６ｂと前後方向で正対する。さらに、第１のパネル支持面部６ｃと第２のパネル支持面部７ａと縁端部７ｂとでパネル支持溝７ｆが構成されて、このパネル支持溝７ｆ内にパネル８が入れ込まれた状態となる。そして、図１２（ｃ）に示すように、端部押縁７を前側にスライドさせることで、第１の被係合部７ｄと第２の被係合部７ｅが、夫々に対応する第１の係合部６ａと第２の係合部６ｂに係合されて端枠Ａ２が構成される。
【００６８】
そして、全ての中間枠Ａ１のパネル支持面部４３ｂとパネル支持面部５ａとパネル８の後面との間、全ての端枠Ａ２の第１のパネル支持面部６ｃとパネル８の後面との間に、バックアップ材９ｂを圧入すると共に、バックアップ材９ｂの外側にシール材９ｃを充填することによって、手摺Ａを構成することができる。
【００６９】
以上の構成を有して組立てられる中間枠Ａ１および端枠Ａ２を有してなる手摺Ａによると、中間枠Ａ１および端枠Ａ２の構成時においては、前述のようにビスやボルト・ナット等の固着手段を用いることなく構成することができるので、手摺Ａの組立て作業の作業効率性が向上し、その上で、中間枠Ａ１および端枠Ａ２を構成する前述の各構成部材同士の取付け状態を保持することができる。
【００７０】
（支柱の変形例）
前述の実施形態の支柱１は、支柱１に対して竪枠４を右方向にスライドさせることで、第１の係合部４ｃと第２の係合部４ｄが、夫々に対応する第１の突出部１１ａと第２の突出部１１ｂに係合される右係合タイプのものである。この支柱１の変形例として、図１３〜図１５に示すように、左係合タイプと右係合タイプを適宜選択できる支柱１’を例示する。
【００７１】
支柱１’は、図１３〜図１５に示すように、第１の嵌合溝部１ａの溝壁１３ａに、第１の突出部１１ａに向かって対向するように第３の突出部１１ｃが突設され、第２の嵌合溝部１ｂの溝壁１３ｂに、第２の突出部１１ｂに向かって対向するように対向する第４の突出部１１ｄが突設されている。
【００７２】
第３の突出部１１ｃおよび第４の突出部１１ｄは、第１の突出部１１ａおよび第２の突出部１１ｂと同様に、夫々に対応する竪枠４の第１の係合部４ｃと第２の係合部４ｄが係合するものである。
【００７３】
竪枠４の第１の係合部４ｃと第２の係合部４ｄを、夫々に対応する第１の突出部１１ａと第２の突出部１１ｂに係合させる場合には、図１４に示すように、第１の係合部４ｃおよび第２の係合部４ｄの先端部４０ｃ、４０ｄの突出方向を右側とし、右方向にスライドさせることで係合状態とする（右係合タイプ）。この右係合タイプでは、図１４（ｂ）に示すように、第１の係合部４ｃが第１の嵌合溝部１ａに、第２の係合部４ｄが第２の嵌合溝部１ｂに、夫々嵌入される。
【００７４】
竪枠４の第１の係合部４ｃと第２の係合部４ｄを、夫々に対応する第３突出部１１ｃと第４突出部１１ｄに係合させる場合には、図１５に示すように、第１の係合部４ｃおよび第２の係合部４ｄの先端部４０ｃ、４０ｄの突出方向を左側とし、左方向にスライドさせることで係合状態とする（左係合タイプ）。この左係合タイプでは、図１５（ｂ）に示すように、第１の係合部４ｃが第２の嵌合溝部１ｂに、第２の係合部４ｄが第１の嵌合溝部１ａに、夫々嵌入される。
【００７５】
竪枠４は、前述の実施形態で例示したものと同じものであり、第１の係合部４ｃと第２の係合部４ｄの係合先を変更する場合、竪枠５を上下反転させて第１の係合部４ｃおよび第２の係合部４ｄの先端部４０ｃ、４０ｄの突出方向を左右切換えることで目的の係合先に係合する状態にできる。
【００７６】
すなわち、この支柱１’に取付けられる竪枠４は、第１の係合部４ｃと第２の係合部４ｄの係合先が、第１の突出部１１ａおよび第２の突出部１１ｂであっても、第３の突出部１１ｃおよび第４の突出部１１ｄであっても、構成を変更することなく同じ竪枠４を使用することができる。また、押縁５も竪枠４と同様に前述の実施形態で例示したものと同じものであり、竪枠４に応じて押縁５を上下反転させることによって、構成を変更することなく同じ押縁を竪枠４に取付けることができる。
【００７７】
この支柱１’を用いた手摺Ａの構成をまとめると、支柱１’と、竪枠４と、押縁５とを備え、支柱１’は、見付面１０に形成された第１の嵌合溝部１ａおよび第２の嵌合溝部１ｂを有している。第１の嵌合溝部１ａおよび第２の嵌合溝部１ｂは、支柱１’の上下方向に沿って形成されていると共に、見付（左右）方向で並列するように配置されている。第１の嵌合溝部１ａには、第１の突出部１１ａと第３の突出部１１ｃとが、互いに向かい合うように見付方向に突設され、第２の嵌合溝部１ｂには、第２の突出部１１ｂが第１の突出部１１ａと同じ方向に突設されていると共に、第４の突出部１１ｄが第２の突出部１１ｂと同じ方向、且つ第２の突出部１１ｂと向かい合うように突設されている。竪枠４は、第１の突出部１ａ又は第４の突出部１１ｄに対して係合する第１の係合部４ｃと、第２の突出部又は第３の突出部１１ｃに対して係合する第２の係合部４ｄとを有している。押縁は、第１および第２の突出部にそれぞれ第１および第２の係合部が係合した状態で、第１の嵌合溝部１ａと第１の係合部４ｃとの間又は第２の嵌合溝部１ｂと第２の係合部４ｄとの間に形成される隙間に嵌入される嵌入部５ｂを有していることを特徴とするものである。
【００７８】
図１４（ａ）、図１５（ａ）に示すように、第１の突出部１１ａの先端部１４ａと第３の突出部１１ｃの先端部１４ｃとの間が、第１の係合部４ｃが通過できる幅の開口部１０ａであり、第２の突出部１１ｂの先端部１４ｂと第４の突出部１１ｄの先端部１４ｄとの間が、第２の係合部４ｄが通過できる幅の開口部１０ｂである。
【００７９】
また、右係合タイプでは、図１４（ｂ）に示すように、第１の係合部４ｃの左側部４３ｃと第３の突出部１１ｃの先端部１４ｃとの間が隙間Ｓであり、左係合タイプでは、図１５（ｂ）に示すように、第１の係合部４ｃの右側部４３ｃ’と第２の突出部１１ｂの先端部の先端部１４ｂとの間が隙間Ｓである。
【００８０】
このような支柱１’によると、手摺Ａを組立てる現場の周辺状況に応じて、パネル８の組立て方向を左右いずれの方向からでも行うことができる。また、竪枠４および押縁５を上下反転させることで、支柱１’に対して左係合タイプ又は右係合タイプとして竪枠４および押縁５を取付けることができるので、パネル８の組立て方向の切換えを現場において迅速に対応できる。
【００８１】
（竪枠に対する押縁の取付け保持構造の変形例）
竪枠４に対する押縁５の取付け保持構造については、係止突起４３０ａ、４４０ａ、４１ｅに対する被係止突起５１ｂ、５１ｃ、角部５１ｄの係止による構造に限らず、嵌入部５ｂを隙間Ｓに対して圧入すると共に、隔壁４ｅの左側部４０ｅに対して係合リブ５ｄの右側部を高い接触圧で接触させる取付け保持構造としてもよい。
【００８２】
（第２の被係合部の配置位置の変形例）  
端部押縁７の第２の被係合部７ｅの位置は、図示した位置に限らず、見付縁部７ｃの前側部７０ｃの左右方向の範囲であればどの位置にあってもよく、第２の係合部６ｂは、第２の被係合部７ｅの位置に対応する位置に形成すればよい。
【００８３】
以上、本発明に係る実施形態の手摺を図面を参照して詳述してきたが、具体的な構成は、これらの実施の形態に限られるものではなく、本発明の要旨を逸脱しない範囲の設計の変更等があっても本発明に含まれる。
【００８４】
また、前述の各実施形態は、その目的および構成等に特に矛盾や問題がない限り、互いの技術を流用して組み合わせることが可能である。
【符号の説明】
【００８５】
Ａ：手摺
Ａ１：中間枠
Ａ２：端枠
Ｂ：躯体
Ｂ１：パラペット
Ｓ：隙間
１：支柱
１’：支柱
１０：見付面
１２：見付面
１３：見込面
１ａ：第１の嵌合溝部
１ｂ：第２の嵌合溝部
１０ａ：開口部
１０ｂ：開口部
１１ａ：第１の突出部
１１ｂ：第２の突出部
１１ｃ：第３の突出部
１１ｄ：第４の突出部
１２ａ：溝壁
１３ａ：溝壁
１２ｂ：溝壁
１３ｂ：溝壁
１４ａ：先端部
１４ｂ：先端部
１４ｃ：先端部
１４ｄ：先端部
２：下弦材
２ａ：パネル支持溝部
２ｂ：ビード保持部
２ｃ凹部
２ｄ：ボルト・ナット
２ｅ：セッティングブロック
３：上弦材
３０：笠木
３ａ：パネル支持溝部
３ｂ：ビード保持部
３ｃ：ビス
４：竪枠
４０：後面
４１：前面
４ａ：第１のパネル支持溝部
４ｂ：第２のパネル支持溝部
４ｃ：第１の係合部
４ｄ：第２の係合部
４ｅ隔壁
４０ａ：前側支持壁
４０ｂ：前側支持壁
４０ｃ：先端部
４０ｄ：先端部
４０ｅ：左側部
４１ａ：ビード保持部
４１ｂ：ビード保持部
４１ｅ：係止突起
４２ａ：後側壁
４２ｂ：後側支持壁
４３ａ：係合リブ
４３ｂ：パネル支持面
４３ｃ：左側部
４３ｃ’： 右側部
４３０ａ：係止突起
４４ａ：係合リブ
４５ａ：右側部
４４０ａ：係止突起
５：押縁
５０：後面
５ａ：パネル支持面
５ｂ：嵌入部
５ｃ：係合リブ
５ｄ：係合リブ
５０ｂ：右側部
５０ｃ：左側部
５０ｄ：右側部
５１ｂ：被係止突起
５１ｃ：被係止突起
５１ｄ：角部
６：端部竪枠
６ａ：第１の係合部
６ｂ：第２の係合部
６ｃ：第１のパネル支持面部
６ｄ：嵌入溝
６ｅ：位置決め部
６０ａ：先端部
６０ｂ：底部
６０ｅ：先端部
６１ａ：突出片
７：端部押縁
７ａ：第２のパネル支持面部
７ｂ：端縁部
７ｃ：見付縁部
７ｄ：第１の被係合部
７ｅ：第２の被係合部
７ｆ：パネル支持溝
７０ａ：後側部
７０ｂ：右側部
７０ｃ：前側部
７０ｄ：先端部
７１ａ：ビード保持部
８：パネル
９ａ：ビード
９ｂ：バックアップ材
９ｃシール材
【図１】
2020158974.tif 000003
【図２】
2020158974.tif 000004
【図３】
2020158974.tif 000005
【図４】
2020158974.tif 000006
【図５】
2020158974.tif 000007
【図６】
2020158974.tif 000008
【図７】
2020158974.tif 000009
【図８】
2020158974.tif 000010
【図９】
2020158974.tif 000011
【図１０】
2020158974.tif 000012
【図１１】
2020158974.tif 000013
【図１２】
2020158974.tif 000014
【図１３】
2020158974.tif 000015
【図１４】
2020158974.tif 000016
【図１５】
2020158974.tif 000017